(57)【要約】【課題】  機器への組付けが容易であり、且つ回転振れが小さく安定した回転性能を有するフランジ付き組合せ軸受を安価に提供する。【解決手段】  本発明のフランジ付き組合せ軸受１は、内輪４、外輪５、および、内輪４と外輪５間に転動自在に配置された転動体６とをそれぞれ備える複数の転がり軸受２と、フランジケース３と、から構成される。フランジケース３は、複数の転がり軸受２の外輪５の外周面５ｂと接しながら両端部３ｃを折り曲げることで外輪５を加締めると共に、外輪５の径方向外方に延びるフランジ部３ｂを有する。そして、フランジケース３によって外輪５を加締めることで、各転がり軸受２の内部すきまを減少させて回転振れを低減させる。【選択図】        図１
2005351321.tif 000002
【特許請求の範囲】
【請求項１】
外周面に内輪軌道面を有する内輪、内周面に外輪軌道面を有する外輪、および、前記内輪軌道面と外輪軌道面間に転動自在に配置された転動体とをそれぞれ備える複数の転がり軸受と、
前記複数の転がり軸受の外輪の外周面と接しながら両端部を折り曲げることで前記外輪を加締めると共に、径方向外方に延びるフランジ部を有するフランジケースと、
を備えたフランジ付き組合せ軸受であって、
前記フランジケースが前記外輪を加締めることで、前記各転がり軸受の内部すきまを減少させることを特徴とするフランジ付き組合せ軸受。
【請求項２】
前記複数の転がり軸受の前記内輪間に配設されたスペーサを備え、
前記スペーサによって前記内輪を軸方向に互いに離間させた状態で、前記フランジケースが前記外輪を加締めることで、前記各転がり軸受の内部すきまを減少させることを特徴とする請求項１に記載のフランジ付き組合せ軸受。
【請求項３】
前記複数の転がり軸受の少なくとも一つは、前記外輪の軸方向幅が前記内輪の軸方向幅より狭く形成されており、
前記フランジケースが前記外輪を加締めることで、前記各転がり軸受の前記外輪軌道面の中心と前記内輪軌道面の中心とが偏心した状態となるようにして、前記各転がり軸受の内部すきまを減少させることを特徴とする請求項１に記載のフランジ付き組合せ軸受。
【発明の詳細な説明】
【技術分野】
【０００１】
本発明は、フランジ付き組合せ軸受に関し、より詳細には、複写機、ＡＴＭ（Automated Teller Machine）、自動販売機等の事務機や産業用途で用いるのに好適なフランジ付き組合せ軸受に関する。
【背景技術】
【０００２】
複写機、ＡＴＭ、自動販売機等の事務機や産業用途に用いられる小型の転がり軸受は、機器への取付けを容易にするため、或いは機構を簡素化してコストダウンを図るために、フランジ付き軸受が多用される傾向にある。
【０００３】
例えば、図５に示すように、切削加工および研削加工を施して、外輪１０２の外周面１０２ａの軸方向一端に径方向外方に延びるフランジ１０２ｂを形成したフランジ付き軸受１０１が知られている。また、このフランジ付き軸受１０１における、フランジ１０２ａの切削加工および研削加工によるコスト上昇や生産性の低下を解消するものとして、ストレート軸受の外輪に金属製薄板のフランジケースを嵌合させて一体としたものが知られている（例えば、特許文献１参照。）。
【０００４】
特許文献１に開示されているフランジ付き軸受１１０は、図６に示されるように、安価で大量生産されるストレート軸受１１１の外輪１１２の外周面１１２ａに、フランジ部１１３ａを有する金属薄板製のフランジケース１１３を加締め、固着して構成されている。このフランジ付き軸受１１０は、軸径ｄが小さく小型であるために複写機等の機器への組み付けが難しい、所謂ミニチュアベアリングの組付性向上を図ったものであり、フランジ付きとすることによって機器への組付けを容易にすると共に、十分な強度を有するフランジ付き軸受１１０を低コスト化したものである。
【特許文献１】実用新案登録第３０７３７５６号公報
【発明の開示】
【発明が解決しようとする課題】
【０００５】
ところで、従来のフランジ付き軸受１０１、１１０は、いずれも軸受の内部すきまｃについて考慮されていなかった。このため、内部すきまｃがあると軸受の回転に伴って回転振れが発生するという問題があった。このようなフランジ付き軸受１０１，１１０が複写機やプリンタ等に用いられた場合、回転振れは、複写機やプリンタ等の回転精度を不安定なものとし色ムラ等の発生の一因となっていた。
【０００６】
これらの問題を回避するため、従来では、フランジ付き軸受１０１，１１０に予圧を付与して内部すきまｃを減少させる特別な予圧付与機構（図示せず）を設けて内部すきまｃを減少させていた。しかしながら、予圧付与機構の付設は、複写機やプリンタ等の構造が複雑となってコストが嵩むだけでなく、これらの機器のサイズが大型化するという問題があった。
【０００７】
本発明は、前述した課題に鑑みてなされたものであり、その目的は、機器への組付けが容易であり、且つ回転振れが小さく、安定した回転性能を有するフランジ付き組合せ軸受を提供することにある。
【課題を解決するための手段】
【０００８】
本発明の上記目的は、下記の構成により達成される。
（１）  外周面に内輪軌道面を有する内輪、内周面に外輪軌道面を有する外輪、および、前記内輪軌道面と外輪軌道面間に転動自在に配置された転動体とをそれぞれ備える複数の転がり軸受と、
前記複数の転がり軸受の外輪の外周面と接しながら両端部を折り曲げることで前記外輪を加締めると共に、径方向外方に延びるフランジ部を有するフランジケースと、
を備えたフランジ付き組合せ軸受であって、
前記フランジケースが前記外輪を加締めることで、前記各転がり軸受の内部すきまを減少させることを特徴とするフランジ付き組合せ軸受。
（２）  前記複数の転がり軸受の前記内輪間に配設されたスペーサを備え、
前記スペーサによって前記内輪を軸方向に互いに離間させた状態で、前記フランジケースが前記外輪を加締めることで、前記各転がり軸受の内部すきまを減少させることを特徴とする請求項１に記載のフランジ付き組合せ軸受。
（３）  前記複数の転がり軸受の少なくとも一つは、前記外輪の軸方向幅が前記内輪の軸方向幅より狭く形成されており、
前記フランジケースが前記外輪を加締めることで、前記各転がり軸受の前記外輪軌道面の中心と前記内輪軌道面の中心とが偏心した状態となるようにして、前記各転がり軸受の内部すきまを減少させることを特徴とする請求項１に記載のフランジ付き組合せ軸受。
【発明の効果】
【０００９】
本発明のフランジ付き組合せ軸受によれば、外周面に内輪軌道面を有する内輪、内周面に外輪軌道面を有する外輪、および、内輪軌道面と外輪軌道面間に転動自在に配置された転動体とをそれぞれ備える複数の転がり軸受と、複数の転がり軸受の外輪の外周面と接しながら両端部を折り曲げることで外輪を加締めると共に、径方向外方に延びるフランジ部を有するフランジケースと、を備え、フランジケースが外輪を加締めることで、各転がり軸受の内部すきまを減少させるようにしたので、安価に大量生産される複数のストレート軸受の外輪にフランジケースを加締めるだけで、内部すきまが小さく、回転性能が安定したフランジ付き組合せ軸受を安価に製作することができる。また、このフランジ付き組合せ軸受を複写機やプリンタに用いることにより、色ムラの発生を防止することができる。
【発明を実施するための最良の形態】
【００１０】
以下、本発明に係るフランジ付き組合せ軸受の各実施形態を図面に基づいて詳細に説明する。
【００１１】
（第１実施形態）
図１は本発明の第１実施形態であるフランジ付き組合せ軸受の要部縦断面図であり、図２はフランジ付き組合せ軸受の正面図である。図３は、フランジ付き組合せ軸受が通常の転がり軸受と共に軸に組み込まれた状態を示す要部縦断面図である。
【００１２】
図１に示すように、フランジ付き組合せ軸受１は、一対の転がり軸受２，２とフランジケース３とから構成されている。各転がり軸受２は、外周面に内輪軌道面４ａを有する内輪４、内周面に外輪軌道面５ａを有する外輪５、および、内輪軌道面４ａと外輪軌道面５ａ間に転動自在に配置された転動体である複数の玉６とを備えた、所謂ストレートタイプの単列深溝玉軸受である。
【００１３】
一対の転がり軸受２，２の内輪４，４の互いに対向して配置された側面４ｂ，４ｂ間には、スペーサ８が狭持されて配置されており、スペーサ８によって内輪４，４を軸方向に互いに離間させるようにしている。スペーサ８は、例えば、鉄や、コイルバネ、皿バネ、波形ワッシャ、ゴム、発泡体、樹脂等の弾性体から形成されており、弾性体の弾性力によって内輪４，４を軸方向に付勢し互いに離間させるようにしてもよい。
【００１４】
一対の転がり軸受２，２には、外輪５，５の側面５ｂ，５ｂ同士を密着させた状態で外周面５ｃ，５ｃと接するフランジケース３が嵌合されている。フランジケース３は、例えばプレス加工によって金属製薄板を略環状に形成した部材である。図２に示されるように、両端部３ｃ、３ｃ（本実施形態では４ヶ所）は、径方向内方に向かって折り曲げられて外輪５，５の軸方向外方の側面５ｄ，５ｄを加締め、フランジケース３を外輪５，５に固着している。また、フランジケース３は、その外周面３ａの一部に径方向外方に折り曲げられたフランジ部３ｂ，３ｂ（本実施形態では４ヶ所）を有する。そして、フランジ部３ｂ，３ｂには、フランジ付き組合せ軸受１を複写機やプリンタの基台（図示せず）に固定するために、ボルト（図示せず）等が挿入される取付け孔３ｄ，３ｄが形成されている。
【００１５】
このように構成されたフランジ付き組合せ軸受１は、図１に示すように、一対の転がり軸受２，２の外輪５，５が、側面５ｂ，５ｂ同士を接触させた状態でフランジケース３によって加締められ、更に内輪４，４間にはスペーサ８が配置されて内輪４を軸方向に互いに離間させた構成となっている。即ち、外輪５，５が軸方向に位置決めされると共に、内輪４がスペーサ８によって互いに離間した状態で配置されているので、一対の転がり軸受２，２には、互いに異なる方向に予圧が付与され、玉６，６と内輪４，４および外輪５，５とは接触角αで接触している。
【００１６】
これによって、フランジ付き組合せ軸受１の実質的な内部すきまｃが減少し、軸受の回転に伴う回転振れが抑制されて回転性能を安定させることができる。また、このように内部すきまｃが抑制されたフランジ付き軸受１を複写機、プリンタ等の機器に組み込むことによって、回転軸の回転振れや回転精度不安定に起因する色ムラ等の発生が防止され、複写機、プリンタ等の品質を高めることができる。
【００１７】
また、フランジ付き組合せ軸受１は、予圧が与えられた状態でユニットとなっているので、その取扱いが容易であり、複写機、プリンタ等の機器に容易に組み込むことができ、機器の製造工程を簡素化して製造コストを低減させることができる。
【００１８】
図３に示すように、フランジ付き組合せ軸受１は、通常の単列深溝玉軸受１０と共に、回転軸２０に組み込まれる。フランジ付き組合せ軸受１は、回転軸２０の溝２０ａ，２０ａに装着された一対の止め輪２１，２１の間に位置し、軸方向の位置が決められている。更に、フランジ部３ｂに設けられた取付孔３ｄに装通されたボルト９によってフランジ付き組合せ軸受１が基台２２に固定されている。また、回転軸２０には、フランジ付き組合せ軸受１から軸方向に離間して配置された深溝玉軸受１０の内輪１１が、回転軸２０の段部２０ｂに当接すると共に、外輪１２に装着されたリング１３が基台２２に当接して軸方向の位置が決められて配置されている。これによって、回転軸２０は、フランジ付き組合せ軸受１および深溝玉軸受１０により回転振れが抑制された状態で回動自在に支持される。
【００１９】
本実施形態のフランジ付き組合せ軸受１によれば、外周面に内輪軌道面４ａを有する内輪４、内周面に外輪軌道面５ａを有する外輪５、および、内輪軌道面４ａと外輪軌道面５ａ間に転動自在に配置された転動体６とをそれぞれ備える複数の転がり軸受２，２と、複数の転がり軸受２，２の外輪５，５の外周面５ｃ，５ｃと接しながら両端部３ｃ，３ｃを折り曲げることで外輪５，５を加締めると共に、径方向外方に延びるフランジ部３ｂを有するフランジケース３と、を備え、フランジケース３が外輪５，５を加締めることで、各転がり軸受２の内部すきまを減少させるようにした。これにより、大量生産される複数のストレート軸受（単列深溝玉軸受）２，２の外輪５，５にフランジケース３を加締めるだけで、内部すきまが小さく、回転性能が安定したフランジ付き組合せ軸受１を安価に製作することができる。また、このフランジ付き組合せ軸受１を複写機やプリンタに用いることにより、色ムラの発生を防止することができる。
【００２０】
また、本実施形態のフランジ付き組合せ軸受１によれば、複数の転がり軸受２，２の内輪４，４間にスペーサ８を配設し、スペーサ８によって内輪４，４を軸方向に互いに離間させ、各転がり軸受２の内部すきまｃを減少させるようにしたので、極めて簡単な機構によってフランジ付き組合せ軸受１の内部すきまｃを減少させることができる。また、これによって、回転性能の安定したフランジ付き組合せ軸受１が得られる。
【００２１】
（第２実施形態）
次に、第２実施形態のフランジ付き組合せ軸受について図４を参照して説明する。  なお、第１実施形態のフランジ付き組合せ軸受１と同等部分については、同一符号又は相当符号を付して説明を簡略化又は省略する。
【００２２】
図４は本発明の第２実施形態であるフランジ付き組合せ軸受の要部縦断面図である。図４に示すように、第２実施形態のフランジ付き組合せ軸受３０は、第１実施形態のフランジ付き組合せ軸受１と同様、内輪４、外輪５、および転動体である複数の玉６とを備えた、所謂ストレートタイプの単列深溝玉軸受である一対の転がり軸受２，２と、フランジケース３とから構成されている。そして、フランジ付き組合せ軸受３０は、第１実施形態のスペーサ８を設けず、代わりに、一対の転がり軸受２，２の外輪５，５の軸方向幅ＷＯを、内輪４の軸方向幅ＷＩより狭く形成している。
【００２３】
外輪５，５には、第１実施形態のフランジ付き組合せ軸受１と同様に、その側面５ｂ，５ｂ同士を接触させた状態で外周面５ｃ，５ｃと接するフランジケース３が嵌合し、両端部３ｃ，３ｃにより加締められている。このとき、外輪５，５の軸方向幅ＷＯは、内輪４，４の軸方向幅ＷＩより狭いので、内輪４，４の側面４ｂ，４ｂは互いに密着し、更に外輪５，５の外輪軌道面５ａ，５ａの中心ＣＯは、内輪４，４の内輪軌道面４ａ，４ａの中心ＣＩと偏心した状態、即ち、中心ＣＩより内側に位置している。即ち、フランジ付き組合せ軸受３０は、一対の転がり軸受２，２に互いに異なる方向の予圧が与えられ、内部すきまが抑制された接触角αのフランジ付き組合せ軸受３０としてユニット化されている。
その他の構成及び作用については、第１実施形態のものと同様である。
【００２４】
本実施形態のフランジ付き組合せ軸受３０によれば、外周面に内輪軌道面４ａを有する内輪４、内周面に外輪軌道面５ａを有する外輪５、および、内輪軌道面４ａと外輪軌道面５ａ間に転動自在に配置された転動体６とをそれぞれ備える複数の転がり軸受２，２と、複数の転がり軸受２，２の外輪５，５の外周面５ｃ，５ｃと接しながら両端部３ｃ，３ｃを折り曲げることで外輪５，５を加締めると共に、径方向外方に延びるフランジ部３ｂを有するフランジケース３と、を備え、フランジケース３が外輪５，５を加締めることで、各転がり軸受２の内部すきまを減少させるようにした。これにより、大量生産される複数のストレート軸受（単列深溝玉軸受）２，２の外輪５，５にフランジケース３を加締めるだけで、内部すきまが減少し、軸受の回転に伴う回転振れが抑制されて、回転性能が安定したフランジ付き組合せ軸受３０を安価に製作することができる。また、このフランジ付き組合せ軸受３０を複写機やプリンタに用いることにより、色ムラの発生を防止することができる。
【００２５】
また、本実施形態のフランジ付き組合せ軸受３０によれば、複数の転がり軸受２，２の少なくとも一つは、外輪５の軸方向幅ＷＯが内輪４の軸方向幅ＷＩより狭く形成されており、フランジケース３が外輪５を加締めることで、各転がり軸受２の外輪軌道面５ａの中心と内輪軌道面４ａの中心とが偏心した状態となるようにして、各転がり軸受２の内部すきまを減少させるようにしたので、従来のストレート軸受と全く同様の製造装置、製造工程によって内部すきまｃのないフランジ付き組合せ軸受３０を安価に製作することができる。また、フランジ付き組合せ軸受３０は、大量生産される安価な転がり軸受、例えば単列深溝玉軸受２から構成されるので、フランジ付き組合せ軸受３０も安価となる。
なお、本実施形態では、複数の転がり軸受２，２の両方の外輪５，５の軸方向幅ＷＯを内輪４の軸方向幅ＷＩより狭くしたが、複数の転がり軸受の少なくとも一方の外輪の軸方向幅が内輪の軸方向幅より狭くすることでも達成される。
【００２６】
尚、本発明は、前述した実施形態に限定されるものではなく、適宜、変形、改良、等が可能である。
【図面の簡単な説明】
【００２７】
【図１】本発明の第１実施形態に係るフランジ付き組合せ軸受を示す要部縦断面図である。
【図２】図１のフランジ付き組合せ軸受の側面図である。
【図３】フランジ付き組合せ軸受が通常の転がり軸受と共に回転軸に組み込まれた状態を示す要部縦断面図である。
【図４】本発明の第２実施形態に係るフランジ付き組合せ軸受を示す要部縦断面図である。
【図５】従来のフランジ付き軸受の要部縦断面図である。
【図６】従来の他のフランジ付き軸受の要部縦断面図である。
【符号の説明】
【００２８】
１，３０        フランジ付き組合せ軸受
２              深溝玉軸受（転がり軸受）
３              フランジケース
３ｂ            フランジ部
３ｃ                  両端部
４              内輪
５              外輪
５ｃ            外輪の外周面
６              玉（転動体）
８              スペーサ
ＷＯ            外輪の軸方向幅
ＷＩ            内輪の軸方向幅
【図１】
2005351321.tif 000003
【図２】
2005351321.tif 000004
【図３】
2005351321.tif 000005
【図４】
2005351321.tif 000006
【図５】
2005351321.tif 000007
【図６】
2005351321.tif 000008